(57)【要約】【課題】張出し架設機及び張出し架設方法を提供することにある。【解決手段】柱頭部上に配置される張出し架設機であって、橋軸方向の着脱可能な後部が取り除かれて短尺とされた短尺張出し架設機ユニット２の後端部相互が背中合わせに接合されている複合張出し架設機１７としている。短尺張出し架設機ユニット２の後端部相互が、ボルト・ナット１６により分離可能に接合されている。転倒防止装置２２が、各短尺張出し架設機ユニット２に渡って設けられている。柱頭部上に設置した前記の複合張出し架設機１７を利用して、張出し部第１ブロック３０を施工し、前記張出し部第１ブロック３０完成後、短尺張出し架設機ユニット２の後端部相互の接合部を切り離し、各架設機ユニット２をそれぞれ離反するように橋軸方向の張出し方向に前進させ、各短尺張出し架設機ユニット２の後端部に、後部の残りの部材を組み立てる張出し架設工法。【選択図】図２
2009121145.tif 000002
【特許請求の範囲】
【請求項１】
柱頭部上に配置される張出し架設機であって、橋軸方向の着脱可能な後部が取り除かれて短尺とされた短尺張出し架設機ユニットの後端部相互が背中合わせに接合されていることを特徴とする複合張出し架設機。
【請求項２】
短尺張出し架設機ユニット相互を切り離し、張出し方向に前進させるときに、各短尺張出し架設機ユニットが転倒しないようにするための転倒防止装置が、各短尺張出し架設機ユニットに渡って設けられていることを特徴とする請求項１に記載の複合張出し架設機。
【請求項３】
柱頭部上に設置した請求項１〜２のいずれかに記載の複合張出し架設機を利用して、張出し部第１ブロックを施工し、前記張出し部第１ブロック完成後、架設機ユニットの後端部相互の接合部を切り離し、各架設機ユニットをそれぞれ離反するように橋軸方向の張出し方向に前進させ、各短尺張出し架設機ユニットの後端部に、後部の残りの部材を組み立てることを特徴とする張出し架設工法。
【請求項４】
短尺張出し架設機ユニット相互を切り離し、張出し方向に前進させるときに、各短尺張出し架設機ユニットが転倒しないように、各短尺張出し架設機ユニットに渡って転倒防止装置を設けたことを特徴とする請求項３に記載の張出し架設工法。
【請求項５】
各短尺張出し架設機ユニットに転倒防止受け筒を取り付け、その各転倒防止受け筒内に渡って挿通配置されている転倒防止材を備えた転倒防止装置であることを特徴とする請求項４に記載の張出し架設工法。
【発明の詳細な説明】
【技術分野】
【０００１】
本発明は、橋梁の柱頭部から張出しブロックを施工するための複合張出し架設機およびその架設機を用いた張出し架設工法に関する。
【背景技術】
【０００２】
従来、橋梁の柱頭部施工において、これまで橋脚にブラケットを設け、そのブラケットを作業床としつつ、張出し第１ブロックの荷重を支持していた。張出し第１ブロックを施工することで、その上に橋軸方向左右２台の張出し架設機を載置することが出来る。
【０００３】
しかし、この方法では、ブラケットの構築に多くの時間と労力を要する。
【０００４】
また、従来の通常の張出し架設機４０は、図１０上に示すように、走行レール３３の上に配置される走行車輪（移動装置）１０を備えた長尺の水平材４１があり、前記長尺の水平材４１に下部が連結された間隔をおいて平行な前部斜材８と後部斜材４２の２本の斜材と、各斜材４１，４２の端部に固定される１本の鉛直材６を備えており、その各斜材４１，４２および鉛直材６の上に橋軸方向に延長する水平な縦梁４が設置されており、側面から見ると平行四辺形の枠内に鉛直材６が設けられている形態をしている。
【０００５】
これを２フレーム橋梁主桁のほぼウェブの上にそれぞれ配置し、横梁１４で繋いで、橋軸方向から見て門型の形態をしている。
【０００６】
前記のような張出し架設機４０は、橋軸方向の長さが長いために、柱頭部上に直列に２台の張出し架設機４０を設置することができない。
そこで、橋脚と橋軸方向に同じ幅で柱頭部を施工し、狭い範囲に２台の張出し架設機を設置するために、一方は主構を規定幅、他方を狭くして架設機を内部に入り組ませることが知られている（例えば特許文献１参照）。
【特許文献１】特開２００４−２１８３１６号
【発明の開示】
【発明が解決しようとする課題】
【０００７】
しかし、狭い柱頭部のうえに２台の主構が入り組み、作業スペースがより狭くなるという課題が残されている。また、主構幅を狭くした張出し架設機を前進させた後、規定の幅に戻さなければならないという問題がある。
本発明は前記の課題を有利に解消した張出し架設機及び張出し架設方法を提供することを目的とする。
【課題を解決するための手段】
【０００８】
前記の課題を有利に解決するために、第１発明の複合張出し架設機においては、柱頭部上に配置される張出し架設機であって、橋軸方向の着脱可能な後部が取り除かれて短尺とされた短尺張出し架設機ユニットの後端部相互が背中合わせに接合されていることを特徴とする。
また、第２発明では、第１発明の複合張出し架設機において、短尺張出し架設機ユニット相互を切り離し、張出し方向に前進させるときに、各短尺張出し架設機ユニットが転倒しないようにするための転倒防止装置が、各短尺張出し架設機ユニットに渡って設けられていることを特徴とする。
また、第３発明の張出し架設方法においては、柱頭部上に設置した第１発明〜第２発明のいずれかの複合張出し架設機を利用して、張出し部第１ブロックを施工し、前記張出し部第１ブロック完成後、架設機ユニットの後端部相互の接合部を切り離し、各架設機ユニットをそれぞれ離反するように橋軸方向の張出し方向に前進させ、各短尺張出し架設機ユニットの後端部に、後部の残りの部材を組み立てることを特徴とする。
また、第４発明では、第３発明の張出し架設方法においては、短尺張出し架設機ユニット相互を切り離し、張出し方向に前進させるときに、各短尺張出し架設機ユニットが転倒しないように、各短尺張出し架設機ユニットに渡って転倒防止装置を設けたことを特徴とする。
第５発明では、第４発明の張出し架設方法において、各短尺張出し架設機ユニットに転倒防止受け筒を取り付け、その各転倒防止受け筒内に渡って挿通配置されている転倒防止材を備えた転倒防止装置であることを特徴とする。
【発明の効果】
【０００９】
第１発明によると、橋軸方向の着脱可能な後部が取り除かれて短尺とされた短尺張出し架設機ユニットの後端部相互が背中合わせに接合されているので、橋軸方向に短尺張出し架設機ユニットを２台直列に配置しても、柱頭部上に設置することができ、柱頭部上の作業スペースを従来の入れ組式よりも広く確保できる効果が得られる。
第２発明によると、短尺張出し架設機ユニット相互を切り離し、張出し方向に前進させるときに、各短尺張出し架設機ユニットが転倒しないようにするための転倒防止装置が、各短尺張出し架設機ユニットに渡って設けられているので、簡単な構造の転倒防止装置とすることができ、そのような簡単な構造の転倒防止装置を使用して、短尺張出し架設機ユニットを分離する場合に転倒することなく安定した姿勢で分離することができる効果が得られる。
また、第３発明によると、柱頭部上に設置した前記の複合張出し架設機を利用して、張出し部第１ブロックを施工し、前記張出し部第１ブロック完成後、架設機ユニットの後端部相互の接合部を切り離し、各架設機ユニットをそれぞれ離反するように橋軸方向の張出し方向に前進させ、各短尺張出し架設機ユニットの後端部に、後部の残りの部材を組み立てるので、架設機ユニットの後端部に残りの部材を組み付けることができる。
第４発明によると、短尺張出し架設機ユニット相互を切り離し、張出し方向に前進させるときに、各短尺張出し架設機ユニットが転倒しないように、各短尺張出し架設機ユニットに渡って転倒防止装置を設けたので、張出し方向に前進させて分離する場合に短尺張出し架設機ユニットを転倒させることがない等の効果が得られる。
第５発明によると、各短尺張出し架設機ユニットに転倒防止受け筒を取り付け、その各転倒防止受け筒内に渡って挿通配置されている転倒防止材を備えた転倒防止装置であるので、簡単な構造の転倒防止装置を使用して、短尺張出し架設機ユニットを分離する場合に転倒することなく安定した姿勢で分離することができる効果が得られる。
【発明を実施するための最良の形態】
【００１０】
次に、本発明を図示の実施形態に基づいて詳細に説明する。
【００１１】
先ず、本発明の張出し架設機１と従来の張出し架設機４０とを比較した図１０および張出し架設機１を分離した図９を参照しながら説明すると、図１０上には従来の張出し架設機４０の側面図が示され、同図下には、本発明の張出し架設機１の一形態の側面図が示されている。
【００１２】
本発明においては、張出し架設機１は、短尺とされた前部側の短尺張出し架設機ユニット２と、これに連結一体化可能な後部３とにより構成されている。
【００１３】
すなわち、本発明において使用する張出し架設機１は、橋軸方向の長さが短くされた短尺張出し架設機ユニット２と、その後端部に組み付けることが可能な後部３とが、ボルト・ナット等の接合手段により、結合したり分離したり組み立て可能にされている。
【００１４】
前記の短尺張出し架設機ユニット２は、下部に位置し、短尺とされた短尺前部水平材５の前部（張出し方向の前部）に前部鉛直材６の下部がボルト・ナット等により固定され、前記短尺前部水平材５の後端部に後部鉛直材７の下部がボルト・ナット等により固定され、前部鉛直材６と後部鉛直材７および前部斜材８とに渡って縦梁４が架設固定され、縦梁４と後部鉛直材７に、分離されて短尺とされた後部上方斜材９の両端部がボルト・ナット等により固定されて橋軸直角方向の一方のフレームが構成されている。短尺前部水平材５の下部には、走行車輪１０を備えた走行駆動装置が設けられている。前記のフレームにおける縦梁４相互は、間隔をおいて橋軸直角方向に延長するように配置された横梁１４が架設されて、橋軸方向から見て門型のフレーム構造の短尺張出し架設機ユニット２が構成されている。
【００１５】
そして、図９に示すように、後部３が撤去された状態の短尺張出し架設機ユニット２の後端部の後部鉛直材７には、ボルト挿通孔（図１１ａ参照）等の接合部が設けられている。
【００１６】
前記のように、短尺張出し架設機ユニット２における水平材は前部と後部に分離可能な水平材とされ、短尺張出し架設機ユニット２側に位置する短尺前部水平材５と、短尺後部水平材１１とに着脱可能に分離され、短尺前部水平材５の後端部と短尺後部水平材１１の前端部とは、Ｉ形またはＨ形断面形状等である場合には、添板およびボルト・ナット等により、直列に接続可能にされている（図１１ｂ参照）。前記のように短尺とされた短尺水平材５，１１相互は、通常のＨ形鋼あるいはＩ形鋼等の部材相互の接合と同様に、添板およびボルト・ナットを使用した摩擦接合を採用することができる。
【００１７】
さらに、前記の短尺張出し架設機ユニット２では、柱頭部１２上において、橋軸方向（左右）直列に２台の短尺張出し架設機ユニット２相互を背中合わせに接合するので、張出し方向前部側の前部鉛直材６の橋軸方向後方に間隔をおいて平行に、柱頭部１２の延長上に位置し、間接的に柱頭部１２上に乗るような間隔で、後部鉛直材７が短尺前部水平材５の後端部上に設けられ、前記の縦梁４を後部鉛直材７まで延長するような長尺な縦梁４とされ、後部鉛直材７に縦梁４の後端部が固定されている。
【００１８】
また、短尺張出し架設機ユニット２における短尺前部水平材５は短くされて、後部鉛直材７の橋軸方向後面位置までとされている。
【００１９】
後部の斜材は、上下に分離されてそれぞれ短尺とされ、短尺張出し架設機ユニット２側に位置する後部上方斜材９と、分離された後部下方斜材１３とに分離されている。後部上方斜材９の下端部は後部鉛直材７の中間部に固定されている（図５、図１０ｂ、図１２参照）。
なお、後部鉛直材７がＨ形鋼等の場合には、適宜補強リブが設けられる（図１２参照）。
【００２０】
前記の後部上方斜材９の下端部は、後部鉛直材７にボルト等により接合され、後部下方斜材１３の下端部は、後部側短尺水平材１１にボルト・ナット等により固定されている。
なお、前記の横梁１４には、図示を省略の昇降装置により総ネジ異径ＰＣ鋼棒１５が昇降可能に設けられている。
【００２１】
前記の短尺張出し架設機ユニット２の後端部の後部鉛直材７同士を横向きのボルト・ナット１６により連結一体化することにより、所定の断面形態の短尺の複合張出し架設機１７とされている。
【００２２】
前部鉛直材６および後部鉛直材７の各鉛直材の下部には、橋軸直角方向に間隔をおいて対向する鉛直材６，７に向かって突出するように転倒防止受け部材支持アーム１８の基端部がボルト・ナット等により着脱可能に固定され、その支持アーム１８の先端部に渡って、橋軸方向に延長するように転倒防止受け筒２０からなる転倒防止受け部材１９が取付けられている。
【００２３】
橋軸方向の一方の張出し架設機ユニット２と、他方の張出し架設機ユニット２との各転倒防止受け筒２０の内側にはスベリ支承材が設けられ、前記各転倒防止受け筒２０に渡って、棒状または管状等の転倒防止材２１が挿通配置され、前記各転倒防止受け筒２０と転倒防止材２１とは、相対的にスライド移動可能にされている。
【００２４】
前記の形態においては、各鉛直材６，７に固定された支持アーム１８と、転倒防止受け筒２０と転倒防止材２１とにより、転倒防止装置２２が構成されている。
【００２５】
なお、前記の転倒防止受け筒２０に変えて、転倒防止材２２を上限に拘束できる転倒防止受け部材１９であればよく、必ずしも筒状である必要はない。例えば、転倒防止受け部材１９と転倒防止材２２とが係合可能な関係であれば各種の断面形態が可能になる。また、転倒防止受け筒２０と転倒防止材２１のいずれか一方に、ローラー、すべり材、またスベリ面を有する支承部材を設けて、スライド支承可能にするとよく、この場合、線タッチまたは面タッチでもよい。
例えば、図８（ａ）に示すように、矩形断面の鋼製転倒防止受け筒２０における上下の各面板２３〜２４の内側および左右の各側面板２５〜２６の内側に鋼製等のすべり支承板２７を固定し、前記鋼製転倒防止受け筒２０に同心状に挿通された矩形断面の鋼製転倒防止材２１をスライド可能に支承するようにしてもよい。
また、図８（ｂ）に示すように、各側面板２５，２６に配置されるスベリ支承板２７を、上面板２３と下面板２４側にスベリ支承板２７〜２７に寄せてそれぞれ配置してもよく、鋼製転倒防止材２１としては、Ｈ形鋼等のＨ形断面形状であってもよい。
【００２６】
転倒防止受け筒２０の長さは、橋軸方向前後２本の鉛直材６，７の間隔より長くされ、転倒防止材２１は、第１ブロック張出し部３０へ左右の短尺張出し架設機ユニット２が前進した後に、転倒防止受け筒２０から抜け出さない長さが必要である。
【００２７】
前記の転倒防止材（例えば、Ｈ形鋼、鋼製角パイプなど）２１は、固定されていなくてもよいが、左右の短尺張出し架設機ユニット２が離れてゆくと曲げモーメントが大きくなるので、分離して橋軸方向に少し離れたときすぐに、柱頭部１２にアンカーされた鋼棒３１の上端部を浮き上り防止材３２を介して転倒防止材２１に固定することで、転倒防止材２１を拘束している。これにより、転倒防止材２１に大きな曲げモーメントが作用しないようにされている。
【００２８】
コンクリート製橋脚２８にブラケット２９ａを介して作業足場２９を設けて橋脚２９を順次築造すると共に柱頭部１２を構築する（図１参照）。
柱頭部１２上に前記の複合張出し架設機１７を設置するにあたっては、個々の短尺張出し架設機ユニット２を組み立てるようにして設置してもよく、複数のクレーンにより各短尺張出し架設機ユニット２を柱頭部１２上に吊り上げて、後部鉛直材７相互をボルト・ナット１６により結合して、複合張出し架設機１７としてもよい（図２参照）。
【００２９】
前記の複合張出し架設機１７における個々の短尺張出し架設機ユニット２に支持させるように作業床３６を、ＰＣ鋼棒１５を備えた吊り下げ支持装置によりレベル調整可能に吊り下げ支持させる（図２参照）。
【００３０】
前記のように、橋脚２８直上の柱頭部１２上に設置された複合張出し架設機１７により作業床３６を支持すると共に、図示省略の型枠等を支持して、柱頭部１２から橋軸方向に張出す第１張出しブロック３０を構築する（図３参照）。前記の第１張出しブロック３０を構築した後、前記の作業床３６は、撤去され、個々の短尺張出し架設機ユニット２に後部３を組み付けて張出し架設機１を構成した後、新たに、張出し架設機１用の作業床３７（図４参照）が吊り下げ支持される。
なお、前記作業床３６が、複数に分離可能な形態であれば、橋軸方向中央部付近の部分を撤去して、作業床３６の橋軸方向の端部を移動される作業床３７に転用するようにしてもよい。
【００３１】
前記のようにして第１ブロック張出し部３０を構築した後、その第１ブロック張出し部３０上に走行用レール３３を延長するように敷設する（図４参照）。なお、転倒防止装置２２は、個々の短尺張出し架設機ユニット２に分離する直前までに設置し、支持アーム１８および転倒防止受け部材１９（２０）を取り付けた後、転倒防止材２１を配設すればよい。そして、各短尺張出し架設機ユニット２が橋軸方向に離反可能にするために、後部縦鉛直材７相互を結合しているボルト・ナット１６（図３参照）を取り外し、短尺張出し架設機ユニット２を離反して移動可能にする。
【００３２】
また、橋軸方向に順次、各短尺張出し架設機ユニット２が離れるに従い、柱頭部１２にアンカーされた鋼棒３１を設け、その鋼棒３１の上端部に、転倒防止材２１の上面に係合する浮上り防止材３２の側部を挿通して、浮き上り防止材３２の上面側から支承ナット等を前記鋼棒３１に装着して、転倒防止材２１に作用する曲げ力を鋼棒３１により負担するようにして、短尺張出し架設機ユニット２の転倒を防止する。柱頭部中央に位置する浮上り防止材３２および鋼棒３１は、これを設置可能な間隔に各短尺張出し架設機ユニット２が離反した状態で設置する（図４参照）。
【００３３】
前記の鋼棒３１は、その下端部が柱頭部１２にアンカーされるか、又は短尺張出し架設機ユニット２を橋軸方向に離反させるための走行用レール３３を柱頭部１２に図示省略のアンカーにより固定し、鋼棒３１を前記走行用レール３３に固定してもよい。
【００３４】
各短尺張出し架設機ユニット２の後端部に、後部３の部品等を設置するに十分なほど、各短尺張出し架設機ユニット２の前進をさせた後、後部３を構成する所定の部材（後部側短尺水平材１１、後部下方斜材１３）を追加して組み付け、各転倒防止装置２２を撤去する。
また、作業床３７を、各張出し架設機１に吊り下げ支持させるように設置する。
【００３５】
なお、前記の後部３には、柱頭部２１上を走行する走行用車輪３４を有する伸縮可能な脚部３５および図示を省略するが、柱頭部１２を含む橋体に反力をとるためのＰＣ鋼棒およびナット等を備えたアンカー材等が設けられる。
【００３６】
前記のように転倒防止装置２２を撤去した後の状態で、新たに架設または築造された張出しブロック上に、順次、走行用レール３３を橋軸方向に敷設し、張出し架設機１を前進させ、新たな張出しブロックを架設する工程を繰り返して橋梁を構築する。
【００３７】
前記ように、本発明では、橋軸方向の着脱可能な後部が取り除かれて短尺とされた短尺張出し架設機ユニットの後端部相互が背中合わせに接合されているので、橋軸方向に短尺張出し架設機ユニットを２台直列に配置しても、柱頭部上に設置することができ、柱頭部上の作業スペースを従来の入れ組式よりも広く確保できる。
また、本発明では、短尺張出し架設機ユニットの後端部相互が、ボルト・ナットにより分離可能に接合されているので、短尺張出し架設機ユニットの後端部相互を容易に接合したり分離することができる。
また、本発明によると、短尺張出し架設機ユニット相互を切り離し、張出し方向に前進させるときに、各短尺張出し架設機ユニットが転倒しないようにするための転倒防止装置が、各短尺張出し架設機ユニットに渡って設けられているので、簡単な構造の転倒防止装置とすることができ、そのような簡単な構造の転倒防止装置を使用して、短尺張出し架設機ユニットを分離する場合に転倒することなく安定した姿勢で分離することができる。
また、本発明によると、柱頭部上に設置した前記の複合張出し架設機を利用して、張出し部第１ブロックを施工し、前記張出し部第１ブロック完成後、架設機ユニットの後端部相互の接合部を切り離し、各架設機ユニットをそれぞれ離反するように橋軸方向の張出し方向に前進させ、各短尺張出し架設機ユニットの後端部に、後部の残りの部材を組み立てるので、架設機ユニットの後端部に残りの部材を組み付けることができる。
また、本発明によると、短尺張出し架設機ユニット相互を切り離し、張出し方向に前進させるときに、各短尺張出し架設機ユニットが転倒しないように、各短尺張出し架設機ユニットに渡って転倒防止装置を設けたので、張出し方向に前進させて分離する場合に短尺張出し架設機ユニットを転倒させることがない。
また、本発明によると、各短尺張出し架設機ユニットに転倒防止受け筒を取り付け、その各転倒防止受け筒内に渡って挿通配置されている転倒防止材を備えた転倒防止装置であるので、簡単な構造の転倒防止装置を使用して、短尺張出し架設機ユニットを分離する場合に転倒することなく安定した姿勢で分離することができる効果が得られる。
【００３８】
また、前記のように、短尺張出し架設機ユニットの後端部相互が、ボルト・ナットにより分離可能に接合されていると、短尺張出し架設機ユニットの後端部相互を容易に接合したり分離することができる効果が得られる。
【図面の簡単な説明】
【００３９】
【図１】本発明の複合張出し架設機を柱頭部に設置するための工程を示すものであって、（ａ）は橋脚を完成させた状態の橋軸直角方向から見た側面図、（ｂ）は（ａ）の正面図、（ｃ）は柱頭部を施工した状態の橋軸直角方向から見た側面図、（ｄ）は（ｃ）の正面図である。
【図２】（ａ）は本発明の複合張出し架設機を柱頭部上に設置した状態の橋軸直角方向から見た側面図、（ｂ）は（ａ）の正面図である。
【図３】（ａ）は本発明の複合梁出し架設機を柱頭部上に設置した状態の橋軸直角方向から見た側面図、（ｂ）は（ａ）の正面図である。
【図４】（ａ）は本発明の複合梁出し架設機を転倒防止装置により転倒を防止しながら分離している状態の橋軸直角方向から見た側面図、（ｂ）は（ａ）の正面図である。
【図５】（ａ）は分離された梁出し架設機ユニットの後端部に、後部の部材を組み付けて、それぞれ独立した張出し架設機とした状態の橋軸直角方向から見た側面図、（ｂ）は（ａ）の正面図である。
【図６】転倒防止装置により、それぞれ独立した張出し架設機に分離した状態を示す橋軸直角方向から見た側面図である。
【図７】図６の正面図である。
【図８】（ａ）は転倒防止装置の一形態を示す拡大正面図であり、（ｂ）は他の形態を示す拡大正面図である。
【図９】張出し架設機を構成する張出し架設機ユニットとその後部を分離して示す概略側面図である。
【図１０】従来の張出し架設機と、本発明の張出し架設機とを比較するための説明図である。
【図１１】（ａ）は本発明の複合張出し架設機における後部鉛直材相互の接合部の一例を示す横断平面図、（ｂ）は短尺前部水平材と後部側短尺水平材との接合部の一例を示す側面図である。
【図１２】本発明の張出し架設機における後部鉛直材と後部上方斜材と後部下方斜材との接合部の一例を示す側面図である。
【符号の説明】
【００４０】
１  張出し架設機
２  張出し架設機ユニット
３  後部
４  縦梁
５  短尺前部水平材
６  前部鉛直材
７  後部鉛直材
８  前部斜材
９  後部上方斜材
１０  走行車輪
１１  後部側短尺水平材
１２  柱頭部
１３  後部下方斜材
１４  横梁
１５  ＰＣ鋼棒
１６  ボルト・ナット
１７  複合張出し架設機
１８  支持アーム
１９  転倒防止受け部材
２０  転倒防止受け筒
２１  転倒防止材
２２  転倒防止装置
２３  上面板
２４  下面板
２５  側面板
２６  側面板
２７  スベリ支承板
２８  橋脚
２９  ブラケット
２９ａ  ブラケット
３０  第１ブロック張出し部
３１  鋼棒
３２  浮き上り防止材
３３  走行用レール
３４  走行用車輪
３５  伸縮可能な脚部
３６  作業床
３７  作業床
４０  通常の張出し架設機
４１  水平材
４２  後部斜材
【図１】
2009121145.tif 000003
【図２】
2009121145.tif 000004
【図３】
2009121145.tif 000005
【図４】
2009121145.tif 000006
【図５】
2009121145.tif 000007
【図６】
2009121145.tif 000008
【図７】
2009121145.tif 000009
【図８】
2009121145.tif 000010
【図９】
2009121145.tif 000011
【図１０】
2009121145.tif 000012
【図１１】
2009121145.tif 000013
【図１２】
2009121145.tif 000014